(57)【要約】      （修正有）【課題】搬送される荷物を収納する収納部を備えたリュックサックを提供する。【解決手段】フレームは、収納部の背面３０に取り付けられ、エアーギャップを創出するためユーザの背中から離れて前記収納部の背面を保持するように形成されている。１以上のウェブ要素１８が、前記エアーギャップを横切って、前記フレームの上部から下部まで伸びている。前記リュックサックはまた、前記フレームの上部に近接する第１位置と前記フレームの下部に近接する第２位置との間をウェブ要素１８に沿って調整できるように、ウェブ要素１８に調整可能に設けられた上端を有する一対の肩用ストラップ２４を備えている。【選択図】図２
2012020111.tif 000002
【特許請求の範囲】
【請求項１】
リュックサックが、
搬送される荷物を収納する収納部と、
前記収納部の背面に取り付けられ、エアーギャップを創出するためユーザの背中から離れて前記収納部の背面を保持するように形成されたフレームと、
前記エアーギャップを横切って、前記フレームの上部から下部まで伸びる１以上のウェブ要素と、
前記フレームの上部に近接する第１位置と前記フレームの下部に近接する第２位置との間を前記ウェブ要素に沿って調整できるように、前記ウェブ要素に調整可能に設けられた上端を有する一対の肩用ストラップと、
を備えたことを特徴とするリュックサック。
【請求項２】
前記肩用ストラップの上端が、前記ウェブ要素と係合し、前記ウェブ要素を上方および下方にスライドすることが出来るパネルを介して、前記ウェブ要素上に設けられたことを特徴とする請求項１に記載のリュックサック。
【請求項３】
前記フレームの下端領域に設けられたヒップベルトを包含し、前記ヒップベルトに対する前記肩用ストラップの上端位置の調整具が、前記リュックサックの背面長を調整することを特徴とする請求項１または２に記載のリュックサック。
【請求項４】
前記肩用ストラップを前記第１位置と第２位置との中間にある１以上の位置に固定できることを特徴とする請求項１から３のいずれかに記載のリュックサック。
【請求項５】
前記または各ウェブ要素が、空気透過性のメッシュ構造から構成されていることを特徴とする請求項１から４のいずれかに記載のリュックサック。
【請求項６】
１つが前記リュックサックのどちらか一方の側に対向し、横方向に互いに間隔を空けて配置された２つの平行なウェブ要素を備えたことを特徴とする請求項１から５のいずれかに記載のリュックサック。
【請求項７】
前記フレームは、前記エアーギャップを規定するために予め形成されたことを特徴とする請求項１から６のいずれかに記載のリュックサック。
【請求項８】
前記フレームが、予め形成されたパネルを備えたことを特徴とする請求項１から７のいずれかに記載のリュックサック。
【請求項９】
前記予め形成されたパネルは、前記収納部の背面の全幅にわたり実質的に伸びていることを特徴とする請求項８に記載のリュックサック。
【請求項１０】
前記パネルは製造中に、前記エアーギャップを創出するための形状を備えるように予め形成されたことを特徴とする請求項８または９に記載のリュックサック。
【請求項１１】
前記予め形成されたパネルは、プラスチック材料から成形されていることを特徴とする請求項８から１０のいずれかに記載のリュックサック。
【請求項１２】
前記予め形成されたパネルは、全体的に扁平な中央域と、前記中央域から前方に突出するように折れる下部と、を備えたことを特徴とする請求項８から１１のいずれかに記載のリュックサック。
【請求項１３】
前記パネルがまた、前記パネルから前方に突出するように折れる上部を備えたことを特徴とする請求項１２に記載のリュックサック。
【請求項１４】
前記予め形成されたパネルの扁平な中央域が、前記パネルの鉛直方向長さの少なくとも３０％であることを特徴とする請求項１２または１３に記載のリュックサック。
【請求項１５】
前記パネルの上部が、前記中央域から少なくとも２ｃｍ前方に突出することを特徴とする請求項１２から１４のいずれかに記載のリュックサック。
【請求項１６】
リュックサックが、
ユーザに背負われる背中装着装置と、
搬送される荷物を収納し、前記背中装着装置に設けられた収納部と、
前記収納部の背面に取り付けられ、エアーギャップを創出するため、ユーザの背中から離れて前記収納部の背面を保持するように形成されたフレームと、
を備え、
前記フレームが、予め形成されたパネルを有することを特徴とするリュックサック。
【請求項１７】
リュックサックが、
ユーザに背負われる背中装着装置と、
搬送される荷物を収納し、前記背中装着装置に設けられた収納部と、
前記収納部の背面に取り付けられ、エアーギャップを創出するため、ユーザの背中から離れて前記収納部の背面を保持するように形成されたフレームと、
を備え、
前記背中装着装置が、前記フレームの上部に近接する第１位置と前記フレームの下部に近接する第２位置との間を調整できるように、前記リュックサックに調整可能に設けられた上端を有する一対の肩用ストラップを備えたことを特徴とするリュックサック。
【発明の詳細な説明】
【技術分野】
【０００１】
本発明は、例えばハイカーが歩いているときに荷物を搬送するのに使用するリュックサック（またはバックパック）に関する。本発明は、より具体的には、背負われているときに、ユーザの背中とリュックサックとの間に通気用の隙間を設けるように構成されたリュックサックに関する。
【背景技術】
【０００２】
従来のリュックサックは、ユーザに背負われる背中装着装置(back attachment system)と、ユーザにより搬送される荷物を収納するために前記背中装着装置に設けられ、通常は柔軟な収納部(enclosure)と、を備えている。背中装着装置は一般的には、一対の肩用ストラップとヒップベルトとを包含している。公知のリュックサックは大抵、収納部の背面（back wall)を支持するフレームを備えており、この収納部に背中装着装置が設けられている。肩用ストラップの上端は、フレームの上部または近傍に取り付けられており、ヒップベルトが下部または近傍に取り付けられている。ストラップを取り付ける肩甲骨用パッドを上部に設けることで、快適性を高めることができ、同様に、ヒップベルトが一般的には間に渡される。公知のリュックサックの中には、取り付けられる肩用ストラップまたは肩甲骨用パッドの上端が、ヒップベルトに対しフレームに上下に調整され、背面調整システムの長さを変え、ユーザの背中の長さにより近づくように、適合するものもある。
【０００３】
リュックサックの収納部内で搬送される荷物に負荷される重力の中心を出来るだけユーザの背中に近づけるように維持することが望まれる。しかし、収納部の背面が、ユーザの背中に寄り掛かり、または非常に近づく場合には、ユーザの背中に過度の汗をもたらし、不快の原因となる。
【０００４】
バーグハウスの“Freeflow”構造など、多くの構造が、ユーザの背中と収納部の背面との間に通気用の隙間を創出するように開発されている。これらの構造は一般的には、リュックサックの収納部の背面を支持する弾力的な垂直フレーム部材を包含し、背面のいずれの側も、この垂直フレーム部材の上端および下端の間を連結する弾性のない空気透過性のメッシュ構造パネルにより、弓形状に張力を負荷して保持されている。そのような構造において、メッシュパネルは着用者の背中に接触する一方で、フレーム部材の弓形状が、空気が通過して循環できるように通気性の隙間を創出するため、リュックサックの収納部の背面をユーザの背中から離れるように保持する。
【０００５】
特に、ユーザの背中に接触するメッシュパネルは空気を通すので、そのような構造はユーザの背中を涼しく保つことを補助し、汗を大幅に減少できる。しかし、フレームの弓形状は、収納部がユーザの背中から十分な距離を隔てていることを意味する。これは、不都合なことに、収納部内の荷物に負荷される重力の中心が更にユーザから遠ざかり、収納部の内部空間に影響を与える。
【０００６】
リュックサックには、収納部とユーザの背中との間により均一な隙間を維持するため、張力が負荷された弓形フレーム部材に置き換えることで、この問題に対処しようとするものもある。このフレーム部材は、予め形成され、ユーザの背中の形状にきっちりと一致するように形成された硬質のフレーム部材を備えている。例えが、ドイツ特許第2,413,948号公報に記載されている。これは、重力の中心をユーザの背中近くに維持している。しかし、そのようなリュックサックで使用される硬質のフレーム部材は、軽量素材ではなく、丈夫な素材から構成しなければならないので、高価になりがちであり、それ故に、一般的には“高価な”リュックサックに適用され、広く採用されなかった。
【０００７】
背面に通気構造を備えた公知のリュックサックの更なる不利な点は、背面長（back length）を固定しがちであることであり、それにより、適合度は、種々の長さの背中を有するユーザにとって最適化できない。調整可能な態様で、肩甲骨用パッドをパックのフレームまたは背面に取り付けることにより、背面長を調整できる構成は、リュックサックの収納部の背面とユーザの背中との間のエアーギャップ(air gap)を犠牲にしがちである。
【発明の概要】
【０００８】
一般論として、本発明は、通気用間隔と調整可能な背面長とを組み合わせて設けたリュックサック用の背面構造を提供することを目的とする。リュックサックの好適な実施形態は、エアーギャップを備え、上部から下部までエアーギャップに及ぶ１以上のメッシュ繊維と、前記１以上のメッシュ繊維上に調整可能に設けられた肩甲骨用パッドと、を有している。この構成を備えることにより、背面の調整が、肩甲骨用パッドの位置を前記繊維上で上方および下方に調整して達成されるので、エアーギャップは犠牲にされない。
【０００９】
本発明のいくつかの実施形態は、薄型のエアーギャップを形成するため、予め形成されたフレームを使用する。好適な実施形態において、このフレームは、収納部の背面の全幅（または全幅にちかい）にわたって伸びる予め形成されたパネルである。このようなパネルは、例えば成形するなどプラスチック材料から比較的、安価に作ることができる。この概念は、単独で使用でき（つまり、調整可能な背面構造がなくても）、高価でないにも関わらず、薄型のエアーギャップに基づく恩恵、すなわち、リュックサックの収納部の内部空間と、ユーザの背中に近い重力の中心に影響を与えないパックを提供する。
【課題を解決するための手段】
【００１０】
第１の特徴において、本発明は、
搬送される荷物を収納する収納部と、
前記収納部の背面に取り付けられ、エアーギャップを創出するためにユーザの背中から離れて前記収納部の背面を保持するように形成されたフレームと、
前記エアーギャップを横切って、前記フレームの上部から下部まで伸びる１以上のウェブ要素と、
前記フレームの上部に近接する第１位置と前記フレームの下部に近接する第２位置との間を前記ウェブ要素に沿って調整できるように、前記ウェブ要素に調整可能に設けられた上端を有する一対の肩用ストラップと、
を備えたことを特徴とするリュックサックを提供する。
【００１１】
前記肩用ストラップの上端が、前記ウェブ要素と係合し、前記ウェブ要素を上方および下方にスライドすることが出来るパネルを介して、前記ウェブ要素上に設けられたことが好ましい。肩用ストラップの上端は、この摺動パネルに取り付けられ、または摺動パネルに一体的に形成できる。摺動パネルは、１以上の肩甲骨用パッドであり、またはこれを組み込んでもよい。
【００１２】
リュックサックはまた、通常は、前記フレームの下端領域に設けられたヒップベルトを包含する。前記ヒップベルトに対する前記肩用ストラップの上端に位置する調整具が、前記リュックサックの背面長を調整する。
【００１３】
エアーギャップにわたるウェブ要素上に、調整可能な肩用ストラップを設けることにより、ストラップの上端および任意の、例えば肩甲骨用パッドが調整される際に、ウェブ要素および収納部の背面の間のエアーギャップに影響を与える必要がないように、ストラップの上端および任意の、例えば肩甲骨用パッドは固定される。このように、リュックサックの背面長は、エアーギャップと、これにより提供される通気性とに重大な犠牲を強いることなく調整できる。
【００１４】
固定手段は、好ましくは第１位置に、代案として第２位置に肩用ストラップを固定するために設けられる。前記肩用ストラップを前記第１位置と第２位置との中間にある１以上の位置に固定できることが好ましい。固定手段は、例えば、クリップ、止め具または選択的に解除可能な固定要素であってもよい。複数の実施形態において、固定手段は、収納部の背面に２以上の固定治具と、選択的に背面上の固定治具の１つと係合可能な肩用ストラップに連結された補完的な固定治具と、を備えている。背面長を調整するため、肩用ストラップ上の補完的な固定治具は、収納部の背面上の１つの固定治具から外すことができ、前記ストラップは、背面上の残りの固定治具に対応する新しい位置にウェブ要素上を上下に調整され、このとき、前記新しい位置で肩用ストラップの固定治具が背面用固定治具に係合する。背面上の固定治具は、フックである肩用ストラップに連結された補完的な固定治具とで輪を作ってもよく、逆も同様である。
【００１５】
前記または各ウェブ要素は、空気透過性のメッシュ構造から構成されていることが好ましい。好適な実施形態において、１つが前記リュックサックのどちらか一方の側に対向し、横方向に互いに間隔を空けて配置された２つの平行なウェブ要素を備えた。
【００１６】
フレームは、エアーギャップを維持するために湾曲状に折れ曲がり、ウェブ要素により張力を負荷されて保持された弾力的なフレーム部材により形成されている。しかし、より好ましくは、前記フレームが、エアーギャップを規定するために予め形成されている。本発明の特徴の好適な実施形態は、以下の発明の第２の特徴に係る予め形成されたフレームを採用している。
【００１７】
第２の特徴において、本発明は、
ユーザに背負われる背中装着装置と、
搬送される荷物を収納し、前記背中装着装置に設けられた収納部と、
前記収納部の背面に取り付けられ、エアーギャップを創出するため、ユーザの背中から離れて前記収納部の背面を保持するように形成されたフレームと、
を備え、
前記フレームが、実質的に前記収納部の背面の全幅にわたって伸びることが好ましい予め形成されたパネルを有することを特徴とするリュックサックを提供する。
【００１８】
背中装着装置は一般的には、一対の肩用ストラップを備えている。また、肩用ストラップはヒップベルトを備えていることが好ましい。
【００１９】
パネルは製造中に、前記エアーギャップを創出するための形状を有するように予め形成されてもよく、これにより、組み立てられたリュックサックにおいて、所望の間隔を創出するために更に曲げ、張力の負荷された状態で配置される必要がない。この方法で予め形成されたパネルを使用することにより、エアーギャップは確かに、リュックサックの全幅にわたり維持されることができる。エアーギャップは、好ましくはリュックサックの背面の高さおよび幅の大部分にわたり、実質的に同じ深さの薄型であってもよい。これにより、収納部内にある荷物の重心の中心をユーザの背中に近接して保持し、収納部の内部空間へのフレームによる影響を最小限にする。
【００２０】
予め形成されたパネルは任意の適切な材料から形成されてもよいが、好ましくはプラスチック材料から成形される。これにより、既に使用されている予め曲げられた金属製ロッドに代えて、軽量で、更に安価であることを実現する。
【００２１】
前記予め形成されたパネルは、全体的に扁平な中央域と、前記中央域から前方に（ユーザの背中に向かって）突出するように折れる下部と、を備えることが好ましい。前記パネルがまた、前記パネルから前方に突出するように折れる上部を備えてもよい。下部の前方に突出する領域は、ユーザの腰下部に隣接するように意図されている。リュックサックがヒップベルトを有する場合、ヒップベルトはフレームの下部突出域に設けてもよい。肩用ストラップの上端は、フレームの上部突出域に近接する定位置に設けられてもよく、好ましくは前記突出域の下端であるが、より好適な実施形態においては、前記肩用ストラップは、後述するように調整可能である。
【００２２】
前記予め形成されたパネルの扁平な中央域が、前記パネルの鉛直方向長さの少なくとも３０％であり、前記パネルの垂直高さの４０％、５０％またはそれ以上であってもよい。前記パネルの上部および下部が、前記中央域から少なくとも２ｃｍ前方に突出することが好ましく（これは結果として得られるエアーギャップの深さに近い）、また約３ｃｍがより好ましい。
【００２３】
他の実施形態では、予め形成されたパネルは所望のエアーギャップを創出するため、連続的に凹型の湾曲形状、または他の適した形状を有してもよい。概して、エアーギャップは少なくとも２ｃｍの深さであり、より好ましくは少なくとも３ｃｍであるが、エアーギャップはあまり深くは形成されない（つまり、たかが１０ｃｍであり、より好ましくは５ｃｍ）。
【００２４】
１以上の空気透過性のメッシュ要素が、エアーギャップを横切って全体的に垂直に伸びてもよい。そのような要素は、ユーザの背中に寄り掛かるように意図され、フレームの形状により創出されたユーザの背中と収納部の背面との間の間隔を維持するのを助ける。
【００２５】
肩用ストラップはフレームに対し調整可能であることが好ましく、リュックサックの背面長を調整する。肩用ストラップの上端は、例えば、予め成形されたパネル上（つまり、パネルの端部）に設けられ、調整できる。この特徴の好適な実施形態では、肩用ストラップは上述した第１の特徴に合わせて調整できる。
【００２６】
第３の特徴では、本発明は、
ユーザに背負われる背中装着装置と、
搬送される荷物を収納し、前記背中装着装置に設けられた収納部と、
前記収納部の背面に取り付けられ、エアーギャップを創出するため、ユーザの背中から離れて前記収納部の背面を保持するように形成されたフレームと、
を備え、
前記背中装着装置が、前記フレームの上部に近接する第１位置と前記フレームの下部に近接する第２位置との間を調整できるように、前記リュックサックに調整可能に設けられた上端を有する一対の肩用ストラップを備えたことを特徴とするリュックサックを提供する。
【００２７】
実施例を、添付図面を参照しながら詳述する。
【図面の簡単な説明】
【００２８】
【図１】本発明の実施形態に係るリュックサックの背面装置に包含される主な概念を概略的に示す。
【図２】本発明の実施形態に係るリュックサックの背面（つまり、背負われているときにユーザに対向する側）の正面図である。
【図３】図２のリュックサックの肩への装着部の正面図である。
【図４】図２のリュックサックの肩への装着部の背面図である。
【図５】肩への装着部を取り外した図２のリュックサックに係る背面の部分正面図である。
【図６】図２のリュックサックのフレームを形成する成形プラスチックからなる予め成形されたパネルの側面断面（図２のＡ−Ａ線に沿った）である（“S/S end”は上端または肩用ストラップの端部であり、“H/B end”はフレームの下端またはヒップベルトの端部である）。
【発明を実施するための形態】
【００２９】
図１は、他の図面に示され、後述する一般的なリュックサックに具体化された主な概念および構成要素を概略的に示す。リュックサックは、この例の中で成形プラスチックパネルである予め形成されたフレーム１０を包含している。このフレーム１０は、リュックサックの収納部に搬送される荷物の背面を支持し、この背面にあるポケット内に保持されてもよい。フレーム１０は、リュックサックの背面の全幅にわたって実質的に延在している。フレームは、扁平な中央域１２と、この中央域から前方に突出する（すなわち、ユーザの背中に向かって）上部１４および下部１６を有している。
【００３０】
２つの空気透過性のメッシュ繊維要素１８が、フレームの上部１４からフレームの下部１６まで延在している。フレーム１０が予め成形された形状であるという長所により、メッシュ要素１８は、フレーム１０の中央域１２の前方に配置されている。リュックサックがユーザの背中にあるとき、メッシュ要素１８はユーザの背中に寄り掛かり、フレーム１０の中央域１２がリュックサックの収納部の背面をユーザの背中から離れるように保持している。メッシュ要素１８とフレームの中央域１２との間にあるエアーギャップ２０（リュックサックの背面に対応する）は、空気が、ユーザの背中とリュックサックの収納部との間を循環することを可能にする。
【００３１】
２つの肩用ストラップ２４の上端２２は、肩甲骨用パッド２６に固定されている。肩甲骨用パッド２６は、２つのメッシュ要素１８上に配置され、これらの要素を上下にスライドすることが出来るので、ストラップ２４の上端２２の位置をフレーム１０の下部１６から多かれ少なかれ間隔を空けるように調整し、リュックサックの背面の長さを効果的に調整できる。
【００３２】
図２から５は、図１に概略的に示された概念および構造上の特徴を包含するリュックサックを示している。このように、図２を参照すると、リュックサックはリュックサックの背面３０にあるポケット内に保持され、予め成形された成形プラスチックパネルであるフレーム（図示せず）を有している。
【００３３】
２つの全体的に平行な空気透過性のメッシュ構造ストリップ１８（図５に最もよく示されている）は、背面３０の上端から下端まで延在し、フレームが背面３０に付与する形状により形成された通気性のエアーギャップにおよぶ。
【００３４】
リュックサックは背面３０の下端にヒップベルト３２と、背面３０の上端に向かう肩への装着構造３４とを包含している。肩への装着構造３４は、肩甲骨用パッド２６と２つの肩用ストラップ２４とを備えている。肩甲骨用パッド２６は、肩甲骨用パッド２６の配置を可能にするメッシュストリップ１８上にスライド可能に配置され、これにより、肩用ストラップ２４の上端がヒップベルト３２に対して調整され、リュックサックの背面の長さを変更する。
【００３５】
より詳しくは、特に図３から５を参照すると、肩甲骨用パッド２６の後側（図４参照）は、パッド２６のどちら側にも１つが取り付けられた２つの繊維布片４０を有している。これらの布片は、肩甲骨用パッド２６の後側の側端のみに取り付けられているので、布片が肩甲骨用パッド２６の後側にトンネルを形成し、このトンネルを貫通して個々のメッシュストリップ１８が上部から下部に至ることができる。それによって、肩甲骨用パッドがメッシュストリップ１８上に保持され、上下に自在にスライドできる。
【００３６】
肩甲骨用パッド２６は、肩甲骨用パッド２６のフックまたは留め金５０により、メッシュストリップ１８に沿って、多くの配置のいずれにも固定することができ、リュックサックの収納部の背面３０に設けられた一連のループ５２の中で選択された１つに、選択的に係合することができる。この例示において、フック５０が網目状ループ５６により肩甲骨用パッド２６の後側に取り付けられ、ぶら下がっている。
【００３７】
この例において、図５に最もよく示すように、肩甲骨用パッド２６のため５段階の位置調整を可能とする５つのループがあり、リュックサック用の５段階に調整可能な背面長に対応している。ループ５２は、水平領域から離れて垂直に背面３０に固定された織物５４のストリップから形成されることで、固定された領域の間で織物は、ループ５２を形成するために背面３０から突出している。
【００３８】
肩甲骨用パッド２６の位置を調整するため、フック５０が今、係合しているループ５２から外れ、肩甲骨用パッドが所望の新しい位置までメッシュストリップ１８を滑り上がり（下がり）、この位置でフック５０は残りのループ５２と係合できる。
【００３９】
所望の位置で肩用ストラップの支持を補助するため、長さ調整可能な高張力ストラップ５８が、個々の肩用ストラップ２４の中間部分をリュックサックの背面に、肩甲骨用パッド２６にとって可能な最も高い位置よりも上で連結する。これらのストラップ５８は、肩甲骨用パッド２６がリュックサックの背面を下方に移動するとき（背面の長さを短くするため）に伸ばすことができ、肩甲骨用パッド２６がリュックサックの背面を上方に移動するとき（背面の長さを長くするため）に短くできる。
【００４０】
図示された例において、肩用ストラップの長さ自体がまた、各ストラップの下端にある調整具６０を使用することで調整可能であり、胸部ストラップ６２が、使用中に肩用ストラップの肩に正確に乗せて維持する手助けとなるように設けられている。
【００４１】
図６は、リュックサックのフレームとして使用される成形プラスチック板またはパネルの側面断面を示す。前記パネルは扁平な中央域１２と、エアーギャップ２０を形成するため、この中央域１０から約３ｃｍ前方に突出する（すなわち、ユーザの背中に向かって）上部１４および下部１６を有している。中央域１２と上部１４との間の変遷で、パネルは第１折り目７０に沿って折れ、その後さらに直線領域７２が第２折り目７４で２回目に折れることで連続し、それによりパネルの最も前方への伸びが規定されている。下部１６が同様の態様で形成されている。パネルは全幅にわたり、これと同じ領域を有し、これにより、全体的にリュックサックの背面の幅に対応する。
【００４２】
当業者は、本発明の範囲を逸脱することなく、特に詳述した実施形態に対し種々の改良が可能であると理解するであろう。
【符号の説明】
【００４３】
１０  フレーム
１２  中央域
１４  上部
１６  下部
１８  ウェブ要素
２０  エアーギャップ
２２  上端
２４  肩用ストラップ
３０  背面
３２  ヒップベルト
６２  調整具
【図１】
2012020111.tif 000003
【図２】
2012020111.tif 000004
【図３】
2012020111.tif 000005
【図４】
2012020111.tif 000006
【図５】
2012020111.tif 000007
【図６】
2012020111.tif 000008
【外国語明細書】
2012020111.tif 000009
2012020111.tif 000010
2012020111.tif 000011
2012020111.tif 000012
2012020111.tif 000013
2012020111.tif 000014
2012020111.tif 000015
2012020111.tif 000016
2012020111.tif 000017
2012020111.tif 000018
2012020111.tif 000019
2012020111.tif 000020
2012020111.tif 000021
2012020111.tif 000022
2012020111.tif 000023
2012020111.tif 000024
2012020111.tif 000025
2012020111.tif 000026
2012020111.tif 000027
2012020111.tif 000028
2012020111.tif 000029
2012020111.tif 000030
2012020111.tif 000031